(57)【特許請求の範囲】
【請求項１】
水槽が取り付けられたカウンターから引き出し可能に設けられ、水栓にホースを介して接続された吐水部を備えた厨房装置もしくは洗面化粧台において、
ホースを収納する収納部材が、カウンターの裏面側において、水槽の底面もしくは水槽に配設された排水トラップの底面と略同一の高さもしくはそれより上方に配設され、
前記収納部材は、上方と一方の側方が開口する樋状の部材であり、カウンターの奥側の裏面側に固定され、
この収納部材は、ホースを収納する収納部を備え、
この収納部は、断面略コ字型で横長の樋状の形状を有し、前記水槽の外側面側に位置し、水槽の横幅に沿って水平方向に延びており、ホースは、垂直方向から水平方向に、水平方向から垂直方向に向きを変えて収納部材から出入りし、収納部材に水平方向にはわせて収納されることを特徴とする厨房装置もしくは洗面化粧台。
【請求項２】
前記収納部材では、前記収納部にホースの出入りを誘導する誘導部が連設され、この誘導部は、収納部材においてホースが出入りする部分に配置され、下方に向かってなだらかに湾曲して傾斜していることを特徴とする請求項１記載の厨房装置もしくは洗面化粧台。
【発明の詳細な説明】
【技術分野】
【０００１】
本願発明は、カウンターから引き出し可能に設けられた吐水部と水栓とを接続するホースを垂れ下げずに収納する厨房装置もしくは洗面化粧台に関する。
【背景技術】
【０００２】
一端部にシャワーヘッドが接続されたシャワーホースを専用のケースに速やかに収納することができるようにした構造が提案されている（特許文献１）。
【０００３】
特許文献１に記載されたホースの収納構造では、ホースの落とし込みを可能にした収納ケースを備え、ホースの差し込み口を収納ケースの側壁に沿う位置に設けるとともに、側壁の下端側を収納ケースの中央側に向けて傾けた傾斜面にしている。こうすることによって、ホースを側壁に接触させて落ち込ませ、ホースの滑り落ちを促すと同時にホースが収納ケースの中央部に移動していくようにして、ホースの突っ張りによる収納不良を解消している。
【特許文献１】特開平９−１７７１５１号公報
【発明の開示】
【発明が解決しようとする課題】
【０００４】
特許文献１に記載されたホースの収納構造は、ホースをスムーズに収納することができ、収納不良を解消することができる点において優れているが、そのホースの収納構造を厨房装置や洗面化粧台に適用する場合の具体的な方策について特許文献１は示唆していない。
【０００５】
厨房装置や洗面化粧台では、カウンターの下方にスペースが形成されており、このスペースを収納スペースとして利用する場合が多く、このため、カウンター下方のスペースを縮小せずにホースをコンパクトに収納することが望まれる。
【０００６】
本願発明は、このような事情に鑑みてなされたものであり、カウンターから引き出し可能に設けられた吐水部と水栓とを接続するホースを垂れ下げずに収納し、カウンター下方のスペースを縮小せず、ホースをコンパクトに収納することのできる厨房装置もしくは洗面化粧台を提供することを課題としている。
【課題を解決するための手段】
【０００７】
本願発明は、上記の課題を解決するために、第１に、水槽が取り付けられたカウンターから引き出し可能に設けられ、水栓にホースを介して接続された吐水部を備えた厨房装置もしくは洗面化粧台において、ホースを収納する収納部材が、カウンターの裏面側において、水槽の底面もしくは水槽に配設された排水トラップの底面と略同一の高さもしくはそれより上方に配設され、前記収納部材は、上方と一方の側方が開口する樋状の部材であり、カウンターの奥側の裏面側に固定され、この収納部材は、ホースを収納する収納部を備え、この収納部は、断面略コ字型で横長の樋状の形状を有し、前記水槽の外側面側に位置し、水槽の横幅に沿って水平方向に延びており、ホースは、垂直方向から水平方向に、水平方向から垂直方向に向きを変えて収納部材から出入りし、収納部材に水平方向にはわせて収納されることを特徴としている。
【０００８】
本願発明は、第２に、前記収納部材では、前記収納部にホースの出入りを誘導する誘導部が連設され、この誘導部は、収納部材においてホースが出入りする部分に配置され、下方に向かってなだらかに湾曲して傾斜していることを特徴としている。
【発明の効果】
【００１０】
本願の第１の発明によれば、吐水部をカウンターに戻した時に収納部材に収納されるホースは、水平方向に収納され、カウンターの下方に形成されたスペースに垂れ下がらず、コンパクトに収納される。したがって、カウンター下方のスペースは、縮小することなく十分な広さを確保することができる。カウンター下方のスペースが収納スペースとして利用される場合、収納量は十分大きなものとなる。また、厨房装置が、躯体部がフレームから組み上げられたフレーム型の場合、収納時のホースが露出せず、外見が良好となる。
【００１１】
また、本願の第１の発明によれば、収納部材を厨房装置もしくは洗面化粧台に後付けすることもできる。また、取外しが容易に可能であり、メンテナンス性が良好である。さらに、収納部材はカウンターに固定されるので、フレーム型の厨房装置にも確実に収納部材を配設することができる。さらにまた、収納部材は水槽の外側面側に固定されるので、収納部材から出入りするホースはシンクやボウルといった水槽に接触せず、擦れ音は発生しない。
【００１２】
本願の第２の発明によれば、ホースは、垂直方向から水平方向に、水平方向から垂直方向に向きを変えて収納部材から出入りするが、誘導部に沿って摺動してホースはスムーズに出入りする。収納時にはホースは滑らかに曲がり、突っ張りは生じない。
【発明を実施するための最良の形態】
【００１３】
図１、図２は、それぞれ、本願発明の厨房装置もしくは洗面化粧台の一実施形態を示した要部側面図、要部背面図である。
【００１４】
カウンター１に水槽２が取り付けられている。水槽２は、厨房装置の場合はシンクであり、洗面化粧台の場合はボウルである。水槽２には排水トラップ３が配設され、水槽２の底面から下方に突出している（図２は排水トラップ３を省略して図示している）。
【００１５】
カウンター１には、奥側に、シャワーカラン等の吐水部４が設けられている。吐水部４はカウンター１からの引き出しが可能とされている。また、カウンター１の奥側には水栓５が配設されている。吐水部４は、屈曲性を有するホース６を介して水栓５に接続されている。ホース６は、吐水部４をカウンター１に戻した時に収納部材７に収納されるようになっている。収納部材７はカウンター１の裏面側、具体的には水槽２の外側面側に設けられている。収納部材７の取付け高さは排水トラップ３の底面と略同一の高さとされている。
【００１６】
図３は、収納部材の一形態を示した斜視図である。
【００１７】
収納部材７は上方に開口する部材であり、ホース６の出入りおよび収納を可能としている。収納部材７は誘導部８と収納部９を備えている。図１および図２に示した吐水部４の引き出しおよび収納にともなってホース６は移動するが、その際のホース６の収納部材７からの出入りを誘導部８が誘導する。誘導部８は、収納部材７においてホース６が出入りする部分に配置され、下方に向かってなだらかに湾曲して傾斜している。誘導部８は収納部９に連設されている。収納部９はホース６を収納する部位であり、水平方向に延び、ホース６の全長を収納することができるようにしている。また、収納部９は断面略コ字型で長尺な形状を有しており、水槽２側の側片がセパレート部として機能し、収納するホース６と水槽２とを隔てる。なお、収納部９は水平方向に延びていれば形状は特に制限されず、図３に示した横長の樋状とすることができる他、縦より横に広がった扁平な樋状などとすることができる。
【００１８】
このような収納部材７は一体成形品とすることができ、ホース６が接触するので擦れ音が発生しないように樹脂製とすることができる。
【００１９】
図１および図２に示した厨房装置もしくは洗面化粧台では、収納部材７がシンクやボウルといった水槽２が取り付けられたカウンター１の裏面側に設けられ、収納部材７の取付け高さが、水槽２に配設された排水トラップ３の底面と略同一の高さとされているので、吐水部４をカウンター１に戻した時に収納部材７に収納されるホース６は、水槽２の下方に垂れ下がらず、収納部材７にコンパクトに収納される。収納時にホース６は、カウンター１の下方に形成されたスペースに垂れ下がらない。したがって、カウンター１の下方のスペースは、縮小することなく十分な広さを確保することができる。収納スペースとして利用される場合、収納量は十分大きなものとなる。また、厨房装置が、躯体部がフレームから組み上げられたフレーム型の場合、収納時のホース６が露出せず、外見が良好となる。
【００２０】
なお、収納部材７の取付け高さは、排水トラップ３の底面の高さと同一とするだけでなく、より下方への突出を押さえるために、排水トラップ３の底面より上方に、また、水槽２の底面と同一高さ、さらにはそれより上方とすることができる。
【００２１】
また、図３に示したように、収納部材７は上方に開口しているので、収納部材７を厨房装置もしくは洗面化粧台に後付けすることもできる。取外しも容易に可能であり、メンテナンス性が良好となる。収納部材７は、厨房装置もしくは洗面化粧台の躯体部に固定されるばかりでなく、カウンター１にも固定可能である。躯体部がフレームにより組み上げられるフレーム型の厨房装置の場合、面体を持たないので、収納部材７をカウンター１に固定することは収納部材７の確実な配設に特に有効である。カウンター１には適宜固定治具等を用いて水槽２の外側面側の所定位置に固定したり、収納部材７に取付部を一体に形成しておき、取付部を介して固定したりすることができる。ホース６は、このように水槽２の外側面側においてカウンター１に固定されている収納部材７から出入りし、収納部９の側片によって水槽２から隔てられているので、シンクやボウルといった水槽２に接触せず、擦れ音は発生しない。特に厨房装置では水槽２として金属製のシンクが配設されることが多く、この場合、ホース６がシンクに擦れる音が共鳴し、大きな雑音を生む原因となるが、そのような雑音は生じない。
【００２２】
さらに、ホース６は、収納部材７において水平方向に延びる収納部９に収納されるので、水平方向に収納される。したがって、収納時の垂れ下がりをより効果的に防止することができる。ホース６は、垂直方向から水平方向に、水平方向から垂直方向に向きを変えて収納部材７から出入りするが、収納部材７においてホース６が出入りする部分には、下方に向かってなだらかに湾曲して傾斜している誘導部８が備えられているため、ホース６の出入りは誘導部８によってスムーズに誘導される。誘導部８に沿って摺動し、ホース６は出入りする。収納時には滑らかに曲がり、突っ張ることはない。ホース６の全長が収納部９に収納される。
【００２３】
なお、収納部材７は、たとえば、図１に示したようなコンチネント型厨房装置、すなわち壁付け式の厨房装置や、カウンター１の下方に収納キャビネットを有する洗面化粧台などにおいては、水槽２と水槽２の後側の壁面との間に配置し、水槽２の後側の壁面もしくは水槽２の後側に配設されたキャビネットの壁面などに取り付けることができる。
【００２４】
また、アイランド型厨房装置、すなわち対面式厨房装置や同様にして配置される洗面化粧台においては、水槽２の外側面もしくはカウンター１の裏面に取り付けることができる。水槽２が上方に開口した略箱型形状を有する場合、前後左右の四方に側面を備えるが、どの側面にも収納部材７は取り付けることができる。図２に示した厨房装置もしくは洗面化粧台では、水槽２の横幅に沿い、かつ奥側に位置する側面の外側に収納部材７が取り付けられている。収納部材７は水槽２の奥行に制限されず、カウンター１の裏面側に配設されている。収納部材７の配設によって水槽２の奥行が狭められるようなことはない。
【００２５】
さらに、収納部材７は、水槽２の底面の裏面側に取り付けることもできる。この場合、収納部材７は水槽２に配設された排水トラップ３の底面と略同一の高さもしくはそれより上方に配置する。つまり、水槽２の下方で、排水トラップ３の高さ分の範囲に収納部材７を配置する。こうして、排水トラップ３の下方のスペースを有効に利用できるようにする。加えて、ホース６が水槽２に直接当接しないように、収納部材７の上部に蓋状の片を設け、これをセパレート部とする。具体的には、収納部材７は上方に開口せず、側方に開口する箱型形状としたり、上方に開口する収納部材７の上部に別途片状の隔離壁を設けたりする。
【図面の簡単な説明】
【００２６】
【図１】本願発明の厨房装置もしくは洗面化粧台の一実施形態を示した要部側面図である。
【図２】図１に示した厨房装置もしくは洗面化粧台の要部背面図である。
【図３】図１および図２に示した収納部材を示した斜視図である。
【符号の説明】
【００２７】
１    カウンター
２    水槽
３    排水トラップ
４    吐水部
５    水栓
６    ホース
７    収納部材
８    誘導部
９    収納部
【図１】
0004815999.tif 000002
【図２】
0004815999.tif 000003
【図３】
0004815999.tif 000004